(57)【要約】【課題】ユーザへの負担が軽く，ユーザが所望する画像を確実に得られる画像読取装置を提供すること。【解決手段】複合機１００は，スキャナ部３に内蔵されたイメージセンサの光源の光量が読み取り可能な光量に達していない場合に，当該光源のウォームアップ処理を行う。そして，ウォームアップ処理を行った後，操作パネル４にそのウォームアップ処理の終了を通知する。また，警告音を報知する。そして，複合機１００では，ウォームアップ処理の終了を通知した後に，原稿の画像読み取りを開始する。原稿の読み取りは，スタートキーの再押下で開始するとしてもよいし，所定期間の待機後に自動的に開始するとしてもよい。【選択図】            図１
2010016471.tif 000002
【特許請求の範囲】
【請求項１】
光源と，当該光源からの光を受光する撮像素子とを備え，原稿の画像を読み取る画像読み取り手段と，
前記光源の光量が所定の範囲内に達するまで前記光源を連続点灯させるウォームアップ処理を行うウォームアップ手段と，
前記ウォームアップ手段によるウォームアップ処理が終了し，原稿の読み取りが可能であることを通知する通知手段と，
前記通知手段による通知の後に，前記画像読み取り手段による画像読み取りを開始する制御手段とを備えることを特徴とする画像読取装置。
【請求項２】
請求項１に記載する画像読取装置において，
前記通知手段による通知の後に，ユーザからの画像の読み取り開始指示を受け付ける受付手段を備え，
前記制御手段は，前記受付手段が画像の読み取り開始指示を受け付けたことを契機に画像読み取りを開始することを特徴とする画像読取装置。
【請求項３】
請求項２に記載する画像読取装置において，
前記受付手段は，フットペダルによって画像の読み取り指示を受け付けることを特徴とする画像読取装置。
【請求項４】
請求項２に記載する画像読取装置において，
前記受付手段は，音声入力装置によって画像の読み取り指示を受け付けることを特徴とする画像読取装置。
【請求項５】
請求項１に記載する画像読取装置において，
前記通知手段による通知の後に，所定時間の計時を行う計時手段を備え，
前記制御手段は，前記計時手段による計時が終了したことを契機に画像読み取りを開始することを特徴とする画像読取装置。
【請求項６】
請求項５に記載する画像読取装置において，
前記計時手段による待機期間を延長する延長指示を受け付ける延長受付手段を備えることを特徴とする画像読取装置。
【請求項７】
請求項５または請求項６に記載する画像読取装置において，
前記計時手段による計時開始の後であって計時終了の前に，画像の読み取り開始指示を受け付ける読取受付手段を備え，
前記制御手段は，前記読取受付手段による読み取り開始指示を受けたことを契機に画像読み取りを開始することを特徴とする画像読取装置。
【請求項８】
請求項１から請求項７のいずれか１つに記載する画像読取装置において，
原稿の自動搬送を行う原稿自動搬送手段と，
前記原稿自動搬送手段の読み取り前の原稿の収容部に原稿があるか否かを検知する原稿センサとを備え，
前記原稿センサによって前記原稿が無いことが検知されている場合には，前記制御手段よって画像読み取りの開始を制御し，
前記原稿センサによって前記原稿が有ることが検知されている場合には，ウォームアップ処理の終了を契機に画像読み取りを開始することを特徴とする画像読取装置。
【請求項９】
請求項１から請求項８のいずれか１つに記載する画像読取装置において，
ブックコピーモードが設定されている場合に，前記制御手段よって画像読み取りの開始を制御することを特徴とする画像読取装置。
【請求項１０】
請求項１から請求項９のいずれか１つに記載する画像読取装置において，
前記画像読取装置の原稿載置台のカバーの開放状態を検知するカバーセンサを備え，
前記カバーセンサによって前記カバーの開放が検知されている場合に，前記制御手段よって画像読み取りの開始を制御することを特徴とする画像読取装置。
【請求項１１】
請求項１から請求項１０のいずれか１つに記載する画像読取装置において，
前記ウォームアップ手段によるウォームアップ処理の終了前に，スキャン開始を受け付ける先行受付手段を備え，
前記先行受付手段によって前記スキャン開始を受け付けなかった場合には，前記制御手段よって画像読み取りの開始を制御し，
前記先行受付手段によって前記スキャン開始を受け付けた場合には，ウォームアップ処理の終了を契機に前記画像読み取り手段による画像読み取りを開始することを特徴とする画像読取装置。
【発明の詳細な説明】
【技術分野】
【０００１】
本発明は，原稿画像を読み取る画像読取装置に関する。さらに詳細には，ＣＣＤイメージセンサ等の光電変換装置によって原稿の画像データを取得する画像読取装置に関するものである。
【背景技術】
【０００２】
従来から，原稿の画像を読み取る画像読取装置として，原稿の画像を，ＣＣＤイメージセンサで読み取って電気的な画像信号に変換し，そのアナログ画像信号をＡ／Ｄ変換器によってデジタル信号に変換するものが知られている。
【０００３】
具体的に，ＣＣＤイメージセンサは，光源と撮像素子とを備え，光源の反射光を撮像素子が受光することで画像データを作成する。このＣＣＤイメージセンサを動作させる際，光源となる冷陰極管を点灯させた後，光源の光量が安定し，画像読み取りが可能になるまで待機するウォームアップ処理が必要となる。イメージセンサのウォームアップ処理に着目した技術としては，例えば，特許文献１に開示された画像処理装置がある。特許文献１に開示された画像処理装置では，光源の正常点灯を白レベル値を基に検知する。そして，正常点灯の検知後，即時に読み取り動作を開始する。これにより，出力時間の短縮が可能としている。
【特許文献１】特開２００６−３１１０３６号公報
【発明の開示】
【発明が解決しようとする課題】
【０００４】
しかしながら，前記した従来の画像読取装置には，次のような問題があった。すなわち，スキャン開始指示を受け取った後にウォームアップ処理を行う場合，ウォームアップ処理を終えてスキャンを開始するまでの間に１分以上の時間を要することがある。その際，書物のようにプラテンガラスに押さえつけておく必要がある原稿を読み取る場合には，ユーザはウォームアップ処理が終了してスキャンがいつ開始されてもいいように原稿をプラテンガラスに押し続ける必要がある。そのため，ユーザに負担を強いる。また，長時間にわたってスキャンが開始されず，ユーザが原稿の押さえを止めた際にタイミング悪くスキャンが開始されることがある。そのため，所望のスキャン結果を得ることができないことがある。
【０００５】
特許文献１では，ウォームアップ処理の短縮や，正常点灯できなかった際の警告についての技術は開示されている。しかし，ユーザにとっては，スキャン開始のタイミングを知らされないため，上記の問題を解決できない。
【０００６】
本発明は，前記した従来の画像読取装置が有する問題点を解決するためになされたものである。すなわちその課題とするところは，ユーザへの負担が軽く，ユーザが所望する画像を確実に得られる画像読取装置を提供することにある。
【課題を解決するための手段】
【０００７】
この課題の解決を目的としてなされた画像読取装置は，光源と，当該光源からの光を受光する撮像素子とを備え，原稿の画像を読み取る画像読み取り手段と，光源の光量が所定の範囲内に達するまで光源を連続点灯させるウォームアップ処理を行うウォームアップ手段と，ウォームアップ手段によるウォームアップ処理が終了し，原稿の読み取りが可能であることを通知する通知手段と，通知手段による通知の後に，画像読み取り手段による画像読み取りを開始する制御手段とを備えることを特徴としている。
【０００８】
本発明の画像読取装置は，光源の光量が読み取り可能な光量に達していない場合に，光源のウォームアップ処理を行う。そして，ウォームアップ処理を行った後，通知手段によってそのウォームアップ処理の終了を通知する。通知方法としては，操作パネルへの表示や警告音が該当する。そして，本発明の画像読取装置では，ウォームアップ処理の終了を通知した後に，原稿の画像読み取りを開始する。
【０００９】
すなわち，本発明の画像読取装置では，通知手段によってウォームアップ処理の終了が知らされる。そのため，ユーザは，ウォームアップ処理の終了タイミングを認識できる。よって，ユーザは，ウォームアップ処理の終了までの間，原稿を押える必要がなく，負担が軽減される。また，ユーザにとって不意のタイミングでスキャンが開始されることが回避できる。
【００１０】
また，本発明の画像読取装置は，通知手段による通知の後に，ユーザからの画像の読み取り開始指示を受け付ける受付手段を備え，制御手段は，受付手段が画像の読み取り開始指示を受け付けたことを契機に画像読み取りを開始するとよりよい。すなわち，受付手段によって，ユーザの任意のタイミングでスキャン開始を指示できる。
【００１１】
また，上記の画像読取装置の受付手段は，フットペダルによって画像の読み取り指示を受け付けるとよりよい。すなわち，足による入力が可能なため，両手が塞がった状態での操作が可能になる。また，後述する音声入力装置と比較し，ノイズの影響を受けない。
【００１２】
また，上記の画像読取装置の受付手段は，音声入力装置によって画像の読み取り指示を受け付けるとよりよい。すなわち，音声による入力であるため，両手が塞がった状態での操作が可能になる。また，受話器等の集音機能を備える場合，既存の部品を利用することができる。
【００１３】
また，本発明の画像読取装置は，通知手段による通知の後に，所定時間の計時を行う計時手段を備え，制御手段は，計時手段による計時が終了したことを契機に画像読み取りを開始するとよりよい。すなわち，ウォームアップ処理の終了通知後に，自動的に読み取りを開始できる。つまり，両手が塞がった状態であっても，ユーザの操作なしに読取を開始することができる。
【００１４】
また，上記の画像形成装置は，計時手段による待機期間を延長する延長指示を受け付ける延長受付手段を備えるとよりよい。すなわち，延長受付手段によって延長可能にすることで，ユーザが確実に原稿の準備をすることができる。
【００１５】
また，上記の画像形成装置は，計時手段による計時開始の後であって計時終了の前に，画像の読み取り開始指示を受け付ける読取受付手段を備え，制御手段は，読取受付手段による読み取り開始指示を受けたことを契機に画像読み取りを開始するとよりよい。すなわち，読み取り受付手段により，計時終了を待つことなく即時に読み取り開始できる。
【００１６】
また，本発明の画像読取装置は，原稿の自動搬送を行う原稿自動搬送手段と，原稿自動搬送手段の読み取り前の原稿の収容部に原稿があるか否かを検知する原稿センサとを備え，原稿センサによって原稿が無いことが検知されている場合には，制御手段よって画像読み取りの開始を制御し，原稿センサによって原稿が有ることが検知されている場合には，ウォームアップ処理の終了を契機に画像読み取りを開始するとよりよい。すなわち，原稿自動搬送手段（ＡＤＦ）によって原稿を読み取る場合には，ユーザが原稿を押さえることによる問題が生じない。そこで，ＡＤＦを利用する場合には，ウォームアップ処理の終了通知等を省略し，即時に読み取りを開始することで，ユーザの利便性が向上する。
【００１７】
また，本発明の画像読取装置は，ブックコピーモードが設定されている場合に，制御手段よって画像読み取りの開始を制御するとよりよい。「ブックコピーモード」とは，見開き２ページを読み取るモードである。すなわち，書物のコピー時は，ユーザが原稿を押え付けている可能性が高い。よって，ブックコピーモードが設定されている際に本発明を適用することは好ましい。
【００１８】
また，本発明の画像読取装置は，画像読取装置の原稿載置台のカバーの開放状態を検知するカバーセンサを備え，カバーセンサによってカバーの開放が検知されている場合に，制御手段よって画像読み取りの開始を制御するとよりよい。画像読取装置が自動搬送手段を備える場合には，自動搬送手段がカバーを兼ねてもよい。すなわち，カバーが閉じていない状態でのコピー時は，ユーザが原稿を押え付けている可能性が高い。よって，カバーが開放状態の際に本発明を適用することは好ましい。
【００１９】
また，本発明の画像読取装置は，ウォームアップ手段によるウォームアップ処理の終了前に，スキャン開始を受け付ける先行受付手段を備え，先行受付手段によってスキャン開始を受け付けなかった場合には，制御手段よって画像読み取りの開始を制御し，先行受付手段によってスキャン開始を受け付けた場合には，ウォームアップ処理の終了を契機に画像読み取り手段による画像読み取りを開始するとよりよい。すなわち，ウォームアップ処理中にスキャン開始を指示することで，再度の読み取り開始指示の入力待ちや所定期間の待機をすることなく速やかにスキャンを開始できる。これにより，コピー処理をより迅速に行うことができる。また，はじめから原稿を押さえ続けているユーザにとっては，ウォームアップ処理の完了を待つまでもなくスキャンの開始を指示できる。
【発明の効果】
【００２０】
本発明によれば，ユーザへの負担が軽く，ユーザが所望する画像を確実に得られる画像読取装置が実現している。
【発明を実施するための最良の形態】
【００２１】
以下，本発明にかかる画像読取装置を具体化した実施の形態について，添付図面を参照しつつ詳細に説明する。本形態は，電話機能，スキャナ機能，プリンタ機能，コピー機能，ファクシミリ機能等を備えた複合機に本発明を適用したものである。
【００２２】
［複合機の構成］
本形態の複合機１００は，図１に示すように，用紙に画像を印刷する画像形成部を備えた本体部２と，原稿の画像を読み取るスキャナ部３とを備えている。また，複合機１００の本体部２の側面上側には受話器５が付設されている。また，複合機１００の本体部２の正面下側にはフットペダル５０が付設され，足による入力操作が可能になっている。なお，画像形成方式は，電子写真方式であっても，インクジェット方式であってもよい。また，カラー画像の形成が可能であっても，モノクロ画像専用であってもよい。
【００２３】
スキャナ部３には，前面側に，各種のボタン（例えば，スタートキー，ストップキー，テンキーの各ボタン）や液晶ディスプレイ等を備えた操作パネル４（通知手段の一例）が設けられている。この操作パネル４により，動作状況の表示やユーザによる操作の入力が可能になっている。
【００２４】
スキャナ部３は，図２に示すように，原稿の画像の読み取りを行う画像読取部６と，その上方を開閉可能に覆うとともに原稿の自動搬送を行うＡＤＦ（Auto Document Feeder：自動原稿供給装置，原稿自動搬送手段の一例）７とを備えている。画像読取部６は，その上面に位置する２枚の透明なプラテンガラス８，９と，その内部に位置するＣＣＤユニット１４（画像読み取り手段の一例）とを備えている。
【００２５】
ＣＣＤユニット１４は，ＣＣＤセンサ１５と，レンズからなる光学素子１６と，冷陰極管からなる光源１７とを備えている。光源１７として用いられる冷陰極管は，電圧が印加されてから画像読取可能であって安定した輝度で発光するまでに所定の準備時間（ウォームアップ時間）を要する。なお，本実施形態では，光源１７の一例として冷陰極管を例示して説明するが，冷陰極管２２と同等なものであれば光源として用いることは可能である。光源１７の反射光は，光学素子１６へと導かれ，ＣＣＤセンサ１５に結像される。そして，ＣＣＤセンサ１５によって電気信号に変換される。
【００２６】
ＡＤＦ７は，読み取り前の原稿を載置する原稿トレイ２２と，読み取り後の原稿を載置する排出トレイ２３とを備えている。具体的に，原稿トレイ２２は，排出トレイ２３の上方に配設されている。また，ＡＤＦ７の内部には，原稿トレイ２２と排出トレイ２３とを連結する搬送路２４が設けられている。ＡＤＦ７は，原稿トレイ２２に載置された原稿を１枚ずつ取り出し，その原稿をプラテンガラス９（以下，「ＡＤＦガラス９」とする）に対向する位置に搬送する。その後，その原稿を排出トレイ２３上に排出する。
【００２７】
原稿の読取方式としては，フラットベッド（原稿固定走査）方式と，ＡＤＦ（原稿移動走査）方式とがある。フラットベッド方式の場合，原稿を１枚ずつプラテンガラス８（以下，「ＦＢガラス８」とする）上に載置する。その状態で，ＣＣＤユニット１４が副走査方向（主走査方向に直交方向，図２の矢印Ａ方向）に移動し，その際に主走査方向に１ラインずつ原稿の画像が読み取られる。一方，ＡＤＦ方式の場合，原稿を纏めて原稿トレイ２２に載置する。そして，ＣＣＤユニット１４がＡＤＦガラス９に対向する位置に移動し，固定される。その状態で，原稿がＡＤＦガラス９に対向する位置に搬送され，その際に主走査方向に１ラインずつ原稿の画像が読み取られる。
【００２８】
また，ＡＤＦ７は，原稿の搬入口の周辺に位置し，搬入口に存在する原稿を検出する原稿センサ２５（原稿センサの一例）と，ＡＤＦ７を回動させる支持部（不図示）に隣接し，ＡＤＦ７の開放状態を検出する開閉センサ２６（カバーセンサの一例）とを備えている。原稿センサ２５は，原稿トレイ２２に原稿が載置されているか否かの判断に供する。開閉センサ２６は，ＡＤＦ７がＦＢガラス８をカバーしているか否かの判断に供する。また，画像読取部６は，ＦＢガラス８の直下に位置し，ＦＢガラス８の歪みを検出する歪センサ１８を備えている。歪センサ１８は，ユーザがＦＢガラス８上で原稿を押さえているか否かの判断に供する。
【００２９】
［複合機の電気的構成］
続いて，複合機１００の電気的構成について説明する。複合機１００は，図３に示すように，ＣＰＵ３１と，ＲＯＭ３２と，ＲＡＭ３３と，ＮＶＲＡＭ３４と，ＡＳＩＣ３５と，ネットワークインタフェース３６と，ファクシミリインタフェース３７とを備えた制御装置３０（ウォームアップ手段，制御手段，計時手段の一例）を有している。
【００３０】
ＲＯＭ３２には，複合機１００を制御するための各種制御プログラムや各種設定，初期値等が記憶されている。ＲＡＭ３３は，各種制御プログラムが読み出される作業領域として，あるいは画像データを一時的に記憶する記憶領域として利用される。
【００３１】
ＡＳＩＣ３５は，画像形成部３８，スキャナ部３，操作パネル４，受話器５，音声認識部５１，フットペダル５０等と電気的に接続されている。ＣＰＵ３１は，ＲＯＭ３２から読み出した制御プログラムに従って，その処理結果をＲＡＭ３３またはＮＶＲＡＭ３４に記憶させながら，ＡＳＩＣ３５を介して複合機１００の各構成要素（例えば，ＡＤＦ７の搬送路２４を構成する各種ローラの駆動モータ（不図示）やＣＣＤユニット１４の移動用モータ（不図示））を制御する。
【００３２】
ネットワークインタフェース３６には，情報機器が接続され，このネットワークインタフェース３６を介して相互のデータ通信が可能になっている。また，ファクシミリインタフェース３７は，電話回線に接続され，このファクシミリインタフェース３７を介して外部のファクシミリ装置等とデータ通信が可能になっている。
【００３３】
［スキャン処理（第１の形態）］
続いて，コピー等の画像読み取りを行う際のスキャン処理の手順について，図４のフローチャートを参照しつつ説明する。
【００３４】
まず，コピー部数，画質，倍率，給紙トレイ，各種のモードの設定等の入力を受け付ける（Ｓ１０１）。そして，コピー開始を指示するスタートキーの入力を受け付ける（Ｓ１０２）。ユーザは，スタートキーの入力までに原稿をＦＢガラス８上にセットする。
【００３５】
ユーザがスタートキーを入力する。その後，ＣＣＤユニット１４の光源１７のウォームアップ処理が必要か否かを判断する（Ｓ１０３）。すなわち，光源１７の点灯直後は，光源１７の発光量が安定しない。そこで，例えば，光源１７がオフからオンになった時点からの経過時間（以下，「ウォームアップ時間」とする）を基に，そのウォームアップ時間が閾値を経過していなければ，ウォームアップ処理が必要と判断する。ウォームアップ処理が必要ないと判断されれば（Ｓ１０３：ＮＯ），ウォームアップ処理をバイパスし，Ｓ１１１の処理に移行して原稿のスキャンを開始する。
【００３６】
一方，ウォームアップ処理が必要と判断されれば（Ｓ１０３：ＹＥＳ），ウォームアップ処理として光源１７の連続点灯を開始する（Ｓ１０４，ウォームアップ手段の一例）。その際，例えば図５に示すように，操作パネル４にウォームアップ処理中であることを認識させるメッセージを表示する。その後，ウォームアップ処理が終了するまで待機する（Ｓ１０５）。
【００３７】
ウォームアップ処理は，光源１７の光量が所定の範囲内に達するまで行われる。より具体的には，光源１７の光量は，ウォームアップ時間が所定時間（閾値時間）を経過した後は安定することから，ウォームアップ時間が当該閾値時間を経過すればウォームアップ処理終了となる。
【００３８】
ウォームアップ処理が終了した後（Ｓ１０５：ＹＥＳ），ＡＤＦ７を利用して原稿読み取りを行うか否かを判断する（Ｓ１０６）。すなわち，ＡＤＦ方式であればユーザが原稿を押さえることはない。そのため，ＡＤＦ７を利用する場合には（Ｓ１０６：ＹＥＳ），Ｓ１１１の処理に移行して原稿のスキャンを開始する。なお，ＡＤＦ７を利用するか否かは，ＡＤＦ７の原稿トレイ２２に原稿が載置されているか否かによって判断できる。そこで，原稿センサ２５からの信号によってＡＤＦ７の利用を判断する。
【００３９】
ＡＤＦ７を利用しない場合には（Ｓ１０６：ＮＯ），ユーザによって原稿がＦＢガラス８に向けて押さえられているか否かを判断する（Ｓ１０７）。すなわち，ユーザが原稿を押さえていない場合，例えば原稿が用紙１枚でＡＤＦ７がＦＢガラス８の蓋となって原稿を押さえている場合には，ウォームアップ処理後に速やかに原稿の読み取りを開始することが望ましい。そこで，原稿が押さえられていないと判断した場合には（Ｓ１０７：ＮＯ），Ｓ１１１の処理に移行して原稿のスキャンを開始する。
【００４０】
具体的に本形態のＳ１０７の処理では，ブックコピーモードが設定されているか否かを判断する。「ブックコピーモード」とは，見開き２ページを読み取るモードである。具体的には，見開き２ページの中央で分割して２枚に出力する。出力の際，２ページの中央の暗くなっている部分を補正し，さらに２ページの中央の画像の歪みを補正する。このブックコピーモードが設定されている場合は，ユーザが原稿である本をＦＢガラス８に押し当てている可能性が高い。言い換えると，ブックコピーモードが設定されていない場合は，薄厚の原稿をＡＤＦ７が蓋となって押さえた状態である可能性が高い。そこで，ブックコピーモードの設定有無によって，原稿が押さえられているか否かを判断する。
【００４１】
ユーザによって原稿が押さえられていると判断した場合には（Ｓ１０７：ＹＥＳ），操作パネル４にウォームアップ処理が終了したことを認識させるメッセージを表示するとともに，スキャンの開始指示として，再度，スタートキー（受付手段の一例）を押下してスキャンの開始を促すメッセージを表示する（Ｓ１０８，通知手段の一例）。その際，例えば図６に示すように，スキャンの開始を指示するスタートキーの他，スキャンのキャンセルを指示するストップキーの存在を併せて表示する。さらに，ウォームアップ処理が終了したことをユーザに喚起させるために，警告音を報知する（Ｓ１０９，通知手段の一例）。
【００４２】
そして，ユーザがスタートキーあるいはストップキーが押下されるまで待機する（Ｓ１１０，Ｓ１２１）。スタートキーが押下された場合には（Ｓ１１０：ＹＥＳ），原稿のスキャンを開始し（Ｓ１１１，制御手段の一例），本処理を終了する。ストップキーが押下された場合には（Ｓ１２１：ＹＥＳ），スキャンをせずに本処理を終了する。
【００４３】
第１の形態のスキャン処理では，ウォームアップ処理が開始されたことを表示し，さらにウォームアップ処理が終了した際に，再度，ユーザがスタートキーを押下することによってスキャンを開始する。このため，ユーザは，ウォームアップ処理中であることを認識でき，さらに任意のタイミングでスキャンを開始することができる。
【００４４】
なお，本形態では，原稿が押さえられているか否かによってスタートキーの再押下を実施するか否かを決定しているが，原稿が押さえられていることに関係なく，ＡＤＦを利用しない，すなわちＦＢ方式であればウォームアップ処理後はスタートキーの再押下を実施するとしてもよい。ただし，ユーザが原稿をＦＢガラス８に押さえつけていないケースではスタートキーの再押下が煩わしい操作となることも考えられる。そのため，ブックモードが設定されているような，ユーザが原稿をＦＢガラス８に押さえつけているケースに限定し，スタートキーの再押下を実施することが好ましい。
【００４５】
また，原稿が押さえられているか否かは，ブックコピーモードの設定有無の他，ＦＢガラス８のカバーとなるＡＤＦ７が開放状態であるか否かによって判断してもよい。ＡＤＦ７が開放状態でコピー開始が指示された場合，ユーザが原稿をＦＢガラス８に押し当てている可能性が高い。ＡＤＦ７の開閉状態は，開閉センサ２６からの信号によって判断される。このほか，ユーザがＦＢガラス８を下方向に強く押圧したこと，すなわち歪センサ１８からの信号によって判断してもよい。
【００４６】
また，本形態では，ウォームアップ処理後のスキャン開始指示を，ユーザによるスタートキーの再押下としているが，これに限るものではない。すなわち，ユーザ任意のタイミングをＭＦＰ１００が検出できればよく，例えば，受話器５を利用しての音声（例えば，ユーザが「スタート」と発生する）を検出し，音声識別部５１が所定のキーワードを認識したことを契機にスキャンを開始するとしてもよい。また，ユーザがフットペダル５０を踏んだことを契機にスキャンを開始するとしてもよい。受話器５を利用した場合は，既存の装置を利用することができ，コストアップの問題は回避できる。フットペダル５０を利用した場合は，ユーザの両手が塞がった状態での操作が可能になる。また，フットペダル５０は，ノイズ等の外乱の影響を受けない。
【００４７】
［スキャン処理（第２の形態）］
続いて，他のスキャン処理の手順について，図７のフローチャートを参照しつつ説明する。第２の形態では，ウォームアップ処理の終了後に所定期間待機して自動的にスキャンを開始する。この点，ユーザ任意のタイミングでスキャンを開始する第１の形態とは異なる。具体的に本形態では，ウォームアップ処理の終了から５秒後に自動的にスキャンを開始する。なお，本形態は，第１の形態のＳ１０３以降の処理の応用例であり，第１の形態と同様の処理については，図４と同様の符号を付し，説明を省略している。
【００４８】
まず，Ｓ１０２の処理後，ウォームアップ処理が必要と判断した後（Ｓ１０３：ＹＥＳ），ウォームアップ処理を開始する（Ｓ１０４）。さらに，ウォームアップ処理の開始とともに，「ピッピッピッ・・・」という連続したブザー音の報知を開始する（Ｓ２０４）。その後，ウォームアップ処理が終了するまで待機する（Ｓ１０５）。
【００４９】
ウォームアップ処理が終了した後（Ｓ１０５：ＹＥＳ），ＡＤＦを利用するか否か（Ｓ１０６），さらには原稿が押さえられているか否かを判断する（Ｓ１０７）。原稿が押さえられていると判断すれば（Ｓ１０７：ＹＥＳ），図８に示すように，まもなくスキャンが開始されることを通知するメッセージを表示する（Ｓ２０６，通知手段の一例）。なお，メッセージに加え，図８に示したように，スキャン開始までのステータスを表示してもよい。
【００５０】
次に，スキャン開始までの待機期間（本形態では５秒）の計時を開始する（Ｓ２０７，計時手段の一例）。そして，計時開始とともに，「ピピッピピッピピッ・・・」という，Ｓ２０４の処理とは異なる連続したブザー音の報知を開始する（Ｓ２０８，通知手段の一例）。このブザー音の変化により，ユーザはウォームアップ処理が終了したことを知ることができる。また，ブザー音は，タイムアウト時間に近づくほど音量を上げる等の制御を行うことで，ユーザに自動スキャン開始の時間が迫っていることを認識させることができる。
【００５１】
その後，計時が終了するまで待機する（Ｓ２０９）。待機期間は，原稿を押さえるに十分な時間であり，待つことによるストレスをユーザに与えない時間の範囲に設定すればよい。計時が終了した，すなわちタイムアウトした場合には（Ｓ２０９：ＹＥＳ），原稿のスキャンを開始し（Ｓ１１１），本処理を終了する。
【００５２】
第２の形態のスキャン処理では，ウォームアップ処理が開始されたことを表示し，さらにウォームアップ処理が終了すると，ウォームアップ処理が終了したことを報知しつつ待機期間の経過後に自動的にスキャンを開始する。このため，ユーザは，ウォームアップ処理中であることを認識でき，さらに待機期間中に原稿の準備をしてスキャンを開始することができる。また，第１の形態と比較して，スタートキーを再押下する必要が無く，ユーザの両手が塞がった状態でもスキャンが開始される。
【００５３】
なお，本形態では，ユーザ任意のタイミングでスキャンを開始するトリガを設けていないが，必ずしもこれに限るものではない。図９は，本形態のＳ２０８の処理以降の応用例を示すフローチャートである。すなわち，待機期間の終了を待たずにスキャンを開始したいことも考えられる。そこで，ユーザによって待機期間中にスタートキー（読取受付手段の一例）が押下された場合には（Ｓ２４１：ＹＥＳ），待機期間の終了を待たずに速やかにスキャンを開始する（Ｓ１１１）。一方で，待機期間中に原稿の準備が整わないことも考えられる。そこで，ユーザによって待機期間中にストップキー（延長受付手段の一例）が押下された場合には（Ｓ２４２：ＹＥＳ），待機期間を５秒延長する（Ｓ２４３）。このように，ユーザの操作によって待機期間を調節可能にしてもよい。
【００５４】
［スキャン処理（第３の形態）］
続いて，他のスキャン処理の手順について，図１０のフローチャートを参照しつつ説明する。第３の形態では，ウォームアップ処理の終了までにスキャン開始の先行受付を行う。先行受付があった場合には，ウォームアップ処理後に即時にスキャンを開始する。この点，第１の形態とは異なる。なお，本形態は，第１の形態のＳ１０３以降の処理の応用例であり，第１の形態と同様の処理については，図４と同様の符号を付し，説明を省略している。
【００５５】
まず，Ｓ１０２の処理後，ウォームアップ処理が必要と判断した後（Ｓ１０３：ＹＥＳ），ウォームアップ処理を開始する（Ｓ１０４）。さらに，スキャン開始の先行受付があったか否かを判断する（Ｓ３０４）。本形態では，ウォームアップ処理の期間中にスタートキー（先行受付手段の一例）が押下されたことをスキャン開始の指示とみなし，スタートキーが押下された際にスキャン開始の先行受付があったと判断する。スキャン開始の先行受付があった場合には，先行受付があったことをＲＡＭ３３に記憶する（Ｓ３２１）。
【００５６】
ウォームアップ処理が終了した後（Ｓ１０５：ＹＥＳ），スキャン開始の先行受付があったか否かを判断する（Ｓ３０６）。先行受付があった場合には（Ｓ３０６：ＹＥＳ），Ｓ１０７以降の処理をバイパスし，Ｓ１１１の処理に移行して原稿のスキャンを開始する。一方，先行受付がなかった場合には（Ｓ３０６：ＮＯ），第１の形態と同様に，再度スタートキーを押下してスキャンの開始を促すメッセージを表示し（Ｓ１０８），ウォームアップ処理が終了したことをユーザに喚起させるために，警告音を報知する（Ｓ１０９）。
【００５７】
そして，ユーザによってスタートキーあるいはストップキーが押下されるまで待機する（Ｓ１１０，Ｓ１２１）。スタートキーが押下された場合には（Ｓ１１０：ＹＥＳ），原稿のスキャンを開始し（Ｓ１１１），本処理を終了する。ストップキーが押下された場合には（Ｓ１２１：ＹＥＳ），スキャンをせずに本処理を終了する。
【００５８】
第３の形態のスキャン処理では，ウォームアップ処理中にスキャン開始の先行受付を行い，先行受付があった場合にはウォームアップ処理終了後に即時にスキャンを開始する。すなわち，スタートキーの再押下をすることなく速やかにスキャンを開始できる。これにより，スキャン処理をより迅速に行うことができる。また，はじめから原稿を押さえ続けているユーザにとっては，ウォームアップ処理の終了を待つまでもなくスキャンの開始を指示できる。
【００５９】
以上詳細に説明したように実施の形態の複合機１００は，ウォームアップ処理の終了を操作パネル４に表示するとともに警告音ないしブザー音を報知する。これにより，ユーザは，ウォームアップ処理の終了を認識できる。よって，ユーザは，ウォームアップ処理中に原稿を押える必要がなく，負担が軽減される。また，ユーザにとって不意のタイミングでスキャンが開始されることが回避できる。
【００６０】
なお，本実施の形態は単なる例示にすぎず，本発明を何ら限定するものではない。したがって本発明は当然に，その要旨を逸脱しない範囲内で種々の改良，変形が可能である。例えば，複合機に限らず，複写機，スキャナ，ＦＡＸ等，画像読み取り機能を備えるものであれば適用可能である。
【００６１】
また，実施の形態では，ウォームアップ処理が必要性か否かを，光源１７がオフからオンになったタイミングから所定の時間によって判断しているが，これに限るものではない。例えば，ＣＣＤユニット１４のホームポジション付近に白基準板を設け，ＣＣＤユニット１４を白基準板まで移動させ，その白基準板を読み取る。読み取った画像の白レベル値は，光源１７の光量と比例することから，この白レベル値が目標範囲内でなければウォームアップ処理が必要と判断し，その目標範囲内に達すればウォームアップ処理終了するとしてもよい。また，ウォームアップ処理の終了は，白レベル値の変化率によって判断してもよい。
【図面の簡単な説明】
【００６２】
【図１】実施の形態にかかる複合機の外観を示す図である。
【図２】複合機のスキャナ部の構成を示す断面図である。
【図３】実施の形態にかかる複合機の電気的構成を示すブロック図である。
【図４】第１の形態におけるフラットベッド方式でのスキャン処理の手順を示すフローチャートである。
【図５】第１の形態におけるウォームアップ処理中の操作パネルの表示例を示す図である。
【図６】第１の形態におけるウォームアップ処理終了後の操作パネルの表示例を示す図である。
【図７】第２の形態におけるフラットベッド方式でのスキャン処理の手順を示すフローチャートである。
【図８】第２の形態におけるウォームアップ処理終了後の操作パネルの表示例を示す図である。
【図９】第２の形態の自動スキャン開始処理部分の応用例の手順を示すフローチャートである。
【図１０】第３の形態におけるフラットベッド方式でのスキャン処理の手順を示すフローチャートである。
【符号の説明】
【００６３】
２      本体部
３      スキャナ部
５      受話器
７      ＡＤＦ
８      ＦＢガラス
１４    ＣＣＤユニット
１７    光源
１８    押圧センサ
２５    原稿センサ
５０    フットペダル
１００  複合機
Ｓ      原稿（用紙）
【図１】
2010016471.tif 000003
【図２】
2010016471.tif 000004
【図３】
2010016471.tif 000005
【図４】
2010016471.tif 000006
【図５】
2010016471.tif 000007
【図６】
2010016471.tif 000008
【図７】
2010016471.tif 000009
【図８】
2010016471.tif 000010
【図９】
2010016471.tif 000011
【図１０】
2010016471.tif 000012